(57)【特許請求の範囲】
【請求項１】
下記の要件を備えたことを特徴とする玩具装置。
（イ）個々に固有の識別情報を有した複数の玩具体と、当該玩具体を近づけ若しくは装着するための領域若しくは部位を備えた玩具本体とから構成されていること。
（ロ）前記複数の玩具体は、前記識別情報に基づいて第１のグループに属する第１の玩具体と第２のグループに属する第２の玩具体とに分類されており、前記第１のグループに属する第１の玩具体は、おたま、フライパン返し、包丁、片手鍋、フライパン等の料理道具の外観を模したクッキング小物であり、前記第２のグループに属する第２の玩具体は、たまご、ピーマン、たまねぎ、ハンバーグ、リンゴ等の食材の外観を模した食べ物小物であること。
（ハ）前記玩具本体は、前記領域若しくは部位に対応して設けられた検出手段と、記憶手段と、情報出力装置若しくは情報出力装置に対する接続手段と、制御手段とを有していること。
（ニ）前記領域若しくは部位には、前記領域若しくは部位に前記玩具体がセットされたことを検出するマイクロスイッチが設けられていること。
（ホ）前記検出手段は、前記領域若しくは部位に近づけた玩具体若しくは装着された玩具体の識別情報を検出することができるようになっていること。
（へ）前記記憶手段は、前記第１のグループに属する第１の玩具体が有する識別情報と前記第２のグループに属する第２の玩具体が有する識別情報との組み合わせに対応した画像情報を記憶していること。
（ト）前記情報出力装置は前記画像情報を表示可能であること。
（チ）前記制御手段は、前記マイクロスイッチにより前記領域若しくは部位に前記玩具体がセットされていることが検出され、当該領域若しくは部位の検出手段において、前記第１のグループに属する第１の玩具体の識別情報と前記第２のグループに属する第２の玩具体の識別情報が検出されたとき、当該検出された識別情報の組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させること。
【請求項２】
下記の要件を備えたことを特徴とする玩具装置。
（イ）個々に固有の識別情報を有した複数の玩具体と、当該玩具体を近づけ若しくは装着するための領域若しくは部位を備えた玩具本体とから構成されていること。
（ロ）前記複数の玩具体は、前記識別情報に基づいて第１のグループに属する第１の玩具体と第２のグループに属する第２の玩具体とに分類されていること。
（ハ）前記玩具本体は、前記領域若しくは部位に対応して設けられた検出手段と、記憶手段と、情報出力装置若しくは情報出力装置に対する接続手段と、制御手段とを有していること。
（ニ）前記検出手段は、前記領域若しくは部位に近づけた玩具体若しくは装着された玩具体の識別情報を検出することができるようになっていること。
（ホ）前記記憶手段は、前記第１のグループに属する第１の玩具体が有する識別情報および前記第２のグループに属する第２の玩具体が有する識別情報ならびに当該第１の玩具体および第２の玩具体の識別情報が検出された検出手段との組み合わせに対応した画像情報を記憶していること。
（へ）前記情報出力装置は前記画像情報を表示可能であること。
（ト）前記制御手段は、前記検出手段において前記第１のグループに属する第１の玩具体の識別情報と前記第２のグループに属する第２の玩具体の識別情報が検出されたとき、当該検出された第１の玩具体の識別情報および第２の玩具体の識別情報ならびに前記第１の玩具体および第２の玩具体の識別情報を検出した検出手段との組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させること。
【発明の詳細な説明】
【０００１】
【発明の属する技術分野】
本願発明は、固有の識別情報を有する複数の玩具体と、玩具体を近づけ若しくは装着して識別情報を検出する検出手段を有する玩具本体とから構成され、検出した識別情報の組合せ、又は検出手段と識別情報との組合せに応じて、対応する画像の表示やその他の情報の出力をさせるようにした玩具装置に関するものである。
【０００２】
【従来の技術】
近年、食品玩具を検出して適宜の音を出力するようにした種々のクッキング玩具が提案されている。従来のクッキング玩具は、調理容器の底部に導電盤を設けると共に、導電盤の上に間隔を置いて可撓性導電性シートを配置している。この調理容器の中に食品玩具が入れられると、食品玩具の重量で可撓性導電性シートが撓み、可撓性導電性シートが導電盤に接触することにより、音声発生手段を動作させて調理音を出力するようにしている。
【０００３】
【発明が解決しようとする課題】
しかしながら、従来の玩具装置は、単に食品玩具の重量によって可撓性導電性シートが撓むことにより、食品玩具が調理容器の中に入れられたことを検出するだけで、個々の食品玩具の種類を検出することはできなかった。このため、他の調理に広がりを持たせることができず、調理遊びが単純であり、遊びの変化に乏しくすぐに飽きられてしまうという問題点を有していた。
【０００４】
本願発明は、上記に鑑みて案出されたもので、遊びに変化を持たせることにより、すぐに飽きられることがなく、興趣性の高い玩具装置を提供することを目的とする。
【０００５】
【課題を解決するための手段】
本発明が提供する請求項１に係る発明は、上記目的を達成するために、下記の要件を備えたことを特徴とする。すなわち、
（イ）個々に固有の識別情報を有した複数の玩具体と、当該玩具体を近づけ若しくは装着するための領域若しくは部位を備えた玩具本体とから構成されていること。
（ロ）前記複数の玩具体は、前記識別情報に基づいて第１のグループに属する第１の玩具体と第２のグループに属する第２の玩具体とに分類されており、前記第１のグループに属する第１の玩具体は、おたま、フライパン返し、包丁、片手鍋、フライパン等の料理道具の外観を模したクッキング小物であり、前記第２のグループに属する第２の玩具体は、たまご、ピーマン、たまねぎ、ハンバーグ、リンゴ等の食材の外観を模した食べ物小物であること。
（ハ）前記玩具本体は、前記領域若しくは部位に対応して設けられた検出手段と、記憶手段と、情報出力装置若しくは情報出力装置に対する接続手段と、制御手段とを有していること。
（ニ）前記領域若しくは部位には、前記領域若しくは部位に前記玩具体がセットされたことを検出するマイクロスイッチが設けられていること。
（ホ）前記検出手段は、前記領域若しくは部位に近づけた玩具体若しくは装着された玩具体の識別情報を検出することができるようになっていること。
（へ）前記記憶手段は、前記第１のグループに属する第１の玩具体が有する識別情報と前記第２のグループに属する第２の玩具体が有する識別情報との組み合わせに対応した画像情報を記憶していること。
（ト）前記情報出力装置は前記画像情報を表示可能であること。
（チ）前記制御手段は、前記マイクロスイッチにより前記領域若しくは部位に前記玩具体がセットされていることが検出され、当該領域若しくは部位の検出手段において、前記第１のグループに属する第１の玩具体の識別情報と前記第２のグループに属する第２の玩具体の識別情報が検出されたとき、当該検出された識別情報の組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させること。
【０００７】
また、請求項２に係る発明は、下記の要件を備えたことを特徴とする。すなわち、
（イ）個々に固有の識別情報を有した複数の玩具体と、当該玩具体を近づけ若しくは装着するための領域若しくは部位を備えた玩具本体とから構成されていること。
（ロ）前記複数の玩具体は、前記識別情報に基づいて第１のグループに属する第１の玩具体と第２のグループに属する第２の玩具体とに分類されていること。
（ハ）前記玩具本体は、前記領域若しくは部位に対応して設けられた検出手段と、記憶手段と、情報出力装置若しくは情報出力装置に対する接続手段と、制御手段とを有していること。
（ニ）前記検出手段は、前記領域若しくは部位に近づけた玩具体若しくは装着された玩具体の識別情報を検出することができるようになっていること。
（ホ）前記記憶手段は、前記第１のグループに属する第１の玩具体が有する識別情報および前記第２のグループに属する第２の玩具体が有する識別情報ならびに当該第１の玩具体および第２の玩具体の識別情報が検出された検出手段との組み合わせに対応した画像情報を記憶していること。
（へ）前記情報出力装置は前記画像情報を表示可能であること。
（ト）前記制御手段は、前記検出手段において前記第１のグループに属する第１の玩具体の識別情報と前記第２のグループに属する第２の玩具体の識別情報が検出されたとき、当該検出された第１の玩具体の識別情報および第２の玩具体の識別情報ならびに前記第１の玩具体および第２の玩具体の識別情報を検出した検出手段との組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させること。
【０００９】
【発明の実施の形態】
本願発明に係る玩具装置の第１の実施の形態を図面に基づいて説明する。
図１は本発明に係る玩具装置のブロック図、図２は玩具装置の外観斜視図、図３は魔法の棒とその周辺装置の回路図、図４はコイルに対する電源供給のタイミングを示したタイミングチャート、図５は玩具体からの信号検出のタイミングを示したタイミングチャートである。
【００１０】
図１及び図２に示すように、本発明に係る玩具装置１は、個々に固有の識別情報を有した複数の玩具体と、当該玩具体を近づけ若しくは装着するための領域若しくは部位を備えた玩具本体３とから構成されている。上記玩具体は、魔法のステッキ５と、複数のクッキング小物７と、食べ物小物９との複数のグループから構成されている。クッキング小物７は、おたま７ａ、フライパン返し７ｂ、包丁７ｃ、片手鍋７ｄ、フライパン７ｅ…等が用意され、食べ物小物はたまご９ａ、ピーマン９ｂ、たまねぎ９ｃ、ハンバーグ９ｄ、リンゴ９ｅ…等が用意される。これらの玩具体には、それぞれ３２ビットで成る固有の識別情報が割り当てられており、後で説明する検出手段の近傍に置かれたとき、若しくは検出手段に装着されたときに、検出手段から発射される高周波信号を受信し、この高周波信号を電源として３２ビットで成る自己の識別情報を発信する。すなわち、複数のクッキング小物７と食べ物小物９の各玩具体は、それぞれ高周波信号を受信する受信回路と、受信した高周波信号を自己の識別情報に係る信号で変調する変調回路と、この変調された信号を返送する回路部とを有する。
【００１１】
尚、上記各玩具体は、受信した高周波信号を自己の識別情報に係る信号で変調して返送するように構成したが、本発明はこれには限定されず、検出手段が非接触で各玩具体の識別情報を検出することのできる適宜の構成が用いられる。例えば、各玩具体のそれぞれは、検出手段から発射される高周波信号を受信し、この受信した高周波信号を電源として、複数ビットで成る自己の識別情報のみを変調することなく、そのまま返送するように構成してもよい。
【００１２】
次に、玩具本体３を詳細に説明する。
オーブン１１内には、前記玩具体の識別情報を検出するための検出手段であるコイル１１ａと、食べ物小物等の玩具体がセットされたことを検出するマイクロスイッチ１２ａが設けられている。また、オーブン１１は開閉可能な扉１１ｂを有し、扉１１ｂには、取っ手１１ｃとＬＥＤ１１ｄが設けられている。また、オーブン１１は回転可能なつまみ１１ｅと、押しボタンスイッチ１１ｆを有する。
まな板１３内には、前記玩具体の識別情報を検出するための検出手段であるコイル１３ａと、食べ物小物等の玩具体が載置されたことを検出するマイクロスイッチ１２ｂが設けられている。まな板１３は、玩具本体３に固定して設けてもよく、若しくは、玩具本体３にコネクタなどの接続手段を介して着脱自在に設けて構成してもよい。
レンジ１５内には、前記玩具体の識別情報を検出するための検出手段であるコイル１５ａと、クッキング小物や食べ物小物等の玩具体が載置されたことを検出するマイクロスイッチ１２ｃが設けられている。
【００１３】
冷蔵庫１７内には、前記玩具体の識別情報を検出するための検出手段であるコイル１７ａと、食べ物小物等の玩具体が入れられたことを検出する２個のマイクロスイッチ１２ｄ，１２ｅが設けられている。また、冷蔵庫１７には、開閉可能な開き戸１７ｂと、引き出し可能な引き戸１７ｃが設けられている。例えば、上記マイクロスイッチ１２ｄは、開閉可能な開き戸１７ｂ内に設けられ、マイクロスイッチ１２ｅは、引き出し可能な引き戸１７ｃ内に設けられる。
上記各コイル１１ａ，１３ａ，１５ａ，１７ａは、個々に時間をずらせて高周波信号を出力しており、その領域内に玩具体が近づけられると、当該玩具体から発信される識別情報を受信することにより、各玩具体の識別情報を検出するための検出手段である。
【００１４】
レンジ１５の近傍には５個のスイッチ１９ａ，１９ｂ，１９ｃ，１９ｄ，１９ｅが設けられている。スイッチ１９ａは、上方向を指示するためのスイッチである。スイッチ１９ｂは、右方向を指示するためのスイッチである。スイッチ１９ｃは、下方向を指示するためのスイッチである。スイッチ１９ｄは、左方向を指示するためのスイッチである。スイッチ１９ｅは決定用のスイッチである。これらのスイッチ１９ａ，１９ｂ，１９ｃ，１９ｄ，１９ｅを操作してメニュー画面の内容に従って適宜選択し、又は決定することにより、各種料理遊びを行うことができる。
【００１５】
また、玩具本体３には、電源スイッチ２１と、はしたて２３と、蛇口２５が設けられている。
玩具本体３の背面には、接続手段であるコネクタが設けられ、このコネクタ及びケーブル２７を介して情報出力装置である表示装置２９が接続される。表示装置２９はスピーカを有しており、玩具本体３からのビデオ信号及びオーディオ信号に基づいて対応する画像、料理遊びに関する情報等を表示し、対応する音声を出力する。表示装置２９は、家庭用のＴＶ（テレビジョン）受信機や、液晶表示器等の適宜の表示装置が用いられる。
表示装置２９に表示される画像を説明すると、異なるグループに属する２以上の玩具体が検出されたときに、それぞれ有している識別情報の組み合わせに対応した画像が表示される。また、表示装置２９には、所定の領域若しくは部位に対応して設けられた検出手段（コイル１１ａ，１３ａ，１５ａ，１７ａ）と、この検出手段によって検出された玩具体の識別情報との組み合わせに対応した画像が表示される。また、表示装置２９には、異なるグループに属する２以上の玩具体がそれぞれ有している識別情報と、玩具体の識別情報が検出された検出手段（コイル１１ａ，１３ａ，１５ａ，１７ａ）との組み合わせに対応した画像が表示される。
尚、前述の表示装置２９を玩具本体３の適宜の位置に設けて構成しても良い。
【００１６】
次に、玩具本体３内に設けられる回路部とその周辺装置を説明する。
制御装置３１は、ＣＰＵ及びその周辺装置を有し、ＲＯＭ３３及びＲＡＭ３５と接続されている。制御装置３１は、ＲＯＭ３３に記憶されたプログラムや画像に基づいて、全体的な制御処理を行うものである。
ＲＯＭ３３には、魔法のステッキ５と、複数のクッキング小物７と、食べ物小物９との複数のグループから構成されるそれぞれの玩具体の識別情報が記憶されると共に、各識別情報に対応して該当する玩具体の画像が記憶されている。
【００１７】
また、ＲＯＭ３３には、異なるグループに属する２以上の玩具体がそれぞれ有している識別情報の組み合わせに対応した画像が記憶されている。例えば、クッキング小物７にグループ分けされた包丁７ｃの識別情報と、食べ物小物９にグループ分けされたたまねぎ９ｃの識別情報との組合せに対応して、たまねぎを包丁で切るような画像が記憶されている。
また、ＲＯＭ３３には、所定の領域若しくは部位に対応して設けられた検出手段と、検出手段によって検出された玩具体の識別情報との組み合わせに対応した画像が記憶されている。例えば、検出手段であるオーブン１１のコイル１１ａと、このコイル１１ａによって検出されたたまねぎ９ｃの識別情報との組合せに対応して、オーブンを用いてたまねぎなどの材料を料理している画像が記憶されている。
【００１８】
また、ＲＯＭ３３には、異なるグループに属する２以上の玩具体がそれぞれ有している識別情報と、玩具体の識別情報が検出された検出手段との組み合わせに対応した画像を記憶している。すなわち、魔法のステッキ５、クッキング小物７、食べ物小物９のいずれか複数の識別情報と、これらの識別情報が検出された検出手段との組み合わせに対応した画像が記憶されている。例えば、該当するクッキング小物７、食べ物小物９を用いた調理の完成画像が記憶されている。
また、ＲＯＭ３３には、クッキング小物７と、１又は２以上の食べ物小物９を用いた調理に関するプログラム、各種調理画像や完成された料理の画像表示に関するプログラム、効果音の出力に関するプログラム等の各種プログラムが記憶されている。ＲＡＭ３５は、いわゆるワーク用のメモリであり各種データが記憶される。
【００１９】
制御装置３１には、ケーブル２７を介して表示装置２９が接続されると共に、デコーダ３７が接続されている。デコーダ３７には、レシーバ３９、切換回路４１を介してコイル１１ａ，１３ａ，１５ａ，１７ａが接続されている。また、制御装置３１には、押しボタンスイッチ１１ｆ、マイクロスイッチ１２ａ，１２ｂ，１２ｃ，１２ｄ，１２ｅ、スイッチ１９ａ，１９ｂ，１９ｃ，１９ｄ，１９ｅ、電源スイッチ２１のそれぞれが接続されている。
制御装置３１は、マイクロスイッチ１２ａ，１２ｂ，１２ｃ，１２ｄ，１２ｅからの信号に基づいて、使用中の検出手段を判別することができる。
切換回路４１は、コイル１１ａ，１３ａ，１５ａ，１７ａを順次切り換えて駆動するものである。すなわち、図４に示すように時刻ｔ１でコイル１１ａのみを駆動し、時刻ｔ２でコイル１１ａをオフすると同時にコイル１３ａのみを駆動し、時刻ｔ３でコイル１３ａをオフすると同時にコイル１５ａのみを駆動し、時刻ｔ４でコイル１５ａをオフすると同時にコイル１７ａのみを駆動し、時刻ｔ５でコイル１７ａをオフすると同時にコイル１１ａのみを駆動する。
このとき、切換回路４１からの切換信号が制御装置３１に与えられており、制御装置３１では切換信号に基づいて、コイル１１ａ，１３ａ，１５ａ，１７ａの内、現在駆動されているコイルを判別することができる。
【００２０】
レシ−バ３９は、フィルター回路、増幅回路、発振回路等を有し、発振回路で生成された高周波信号が切換回路４１を介して該当するコイル１１ａ，１３ａ，１５ａ，１７ａへ出力される。これによって、該当するコイル１１ａ，１３ａ，１５ａ，１７ａから高周波信号が送信され、その領域内に玩具体が近づけられると、その玩具体は、受信した高周波信号を自己の３２ビットの識別情報に応じて変調し、変調した信号を該当するコイル１１ａ，１３ａ，１５ａ，１７ａへ返送する。ここで、上記変調方式は周波数変調、位相変調、振幅変調等の適宜の変調方式が用いられる。
レシ−バ３９においては、上記変調された信号を切換回路４１を介して該当するコイル１１ａ，１３ａ，１５ａ，１７ａから入力すると、前記フィルター回路で高周波成分が除去されて識別情報に係る信号のみが取り出され、その後、増幅回路で増幅され、波形整形された信号をデコーダ３７に出力する。
デコーダ３７は、レシーバ３９から入力した信号の組合せに対応した信号を制御装置３１へ出力する。また、制御装置３１は、押しボタンスイッチ１１ｆ、マイクロスイッチ１２ａ，１２ｂ，１２ｃ，１２ｄ，１２ｅ、スイッチ１９ａ，１９ｂ，１９ｃ，１９ｄ，１９ｅが操作されたときに、これを検出して対応する制御を行う。
【００２１】
図３に示す魔法のステッキ５は、固有の識別情報を有し、所定周期の高周波信号を発振する発振回路と、この高周波信号を自己の識別情報に係る信号で変調する変調回路と、電源回路と、スイッチＳＷ１，ＳＷ２を有する。これらのスイッチＳＷ１，ＳＷ２を操作することにより、異なる周期の信号で変調することができる。すなわち、スイッチＳＷ１が操作されると、高周波信号を１ＫＨｚの信号で変調し、スイッチＳＷ２が操作されると、高周波信号を２ｋＨｚの信号で変調する。上記１ｋＨｚの信号及び２ｋＨｚの信号には、自己の識別情報と料理に関する命令情報等が含まれる。
図３に示す受信装置４０は、前述したコイル１１ａ，１３ａ，１５ａ，１７ａと、切換回路４１と、レシーバ３９と、デコーダ３７を有する。
魔法のステッキ５は、スイッチＳＷ１，ＳＷ２をオンした状態で振ることにより、すなわち、魔法のステッキ５をいずれかのコイル１１ａ，１３ａ，１５ａ，１７ａの近傍に近づけることにより、画面表示の内容を順次選択して料理を進めることができる。
また、クッキング小物７、食べ物小物９の識別情報と、これらの識別情報が検出された検出手段との組み合わせに対応した画像が表示されている状態で、魔法のステッキ５が操作されると、該当する食べ物小物９を用いた料理の特別画像、例えば料理の完成画像が表示されるようになっている。
【００２２】
次に、作用を説明する。
まず、異なるグループに属する２以上の玩具体がそれぞれ有している識別情報が検出された場合の作用を説明する。
レシ−バ３９で生成された高周波信号が切換回路４１を介してコイル１１ａ，１３ａ，１５ａ，１７ａへ出力される。切換回路４１は、コイル１１ａ，１３ａ，１５ａ，１７ａを順次切り換えて駆動しており、これによって、各コイル１１ａ，１３ａ，１５ａ，１７ａから順次高周波信号が送信される。
ここで、遊戯者がまな板１３の上でたまねぎ９ｃを包丁７ｃで切るようなクッキングのまねごとをすると、まな板１３のコイル１３ａから包丁７ｃとたまねぎ９ｃへ高周波信号が送信される。
同時に、まな板１３の上にたまねぎ９ｃを載置することによって、マイクロスイッチ１２ｂがこれを検出する。制御装置３１はマイクロスイッチ１２ｂからの検出信号に基づいて、まな板１３の上に玩具体が載置されたことを判断する。
また、図５（Ａ）に示すようにまな板１３のコイル１３ａの領域内に、包丁７ｃとたまねぎ９ｃが近づけられると、これらの玩具体は、受信した高周波信号を自己の３２ビットの識別情報に応じて変調し、変調した信号を該当するコイル１３ａへ返送する。
【００２３】
レシ−バ３９は、上記変調された信号を切換回路４１を介して該当するコイル１３ａから入力すると、フィルター回路で高周波成分が除去されて識別情報に係る信号のみが取り出される。このように、クッキング小物７にグループ分けされた包丁７ｃの識別情報と、食べ物小物９にグループ分けされたたまねぎ９ｃの識別情報とが取り出されると、その後、増幅回路で増幅され、波形整形されて図５（Ｂ），（Ｃ）に示すような信号がデコーダ３７に出力される。
デコーダ３７は、入力した信号に対応する信号、例えば、図５（Ｄ）に示すようなクッキング小物７にグループ分けされた包丁７ｃの識別情報と、食べ物小物９にグループ分けされたたまねぎ９ｃの識別情報との組合せに対応する信号を制御装置３１へ出力する。
制御装置３１では、デコーダ３７からの信号を入力すると、この信号を解読してクッキング小物７にグループ分けされた包丁７ｃの識別情報と、食べ物小物９にグループ分けされたたまねぎ９ｃの識別情報との組合せに対応する信号であることを判断する。そして、制御装置３１はＲＯＭ３３から包丁７ｃの識別情報とたまねぎ９ｃの識別情報との組合せに対応する画像、例えばたまねぎを包丁で切るような画像を読み取って表示装置２９へ表示させる。
なお、前述のたまねぎを包丁で切っているような画像を表示するのに先立ち，制御装置３１はたまねぎ９ｃをまな板１３の上に置いた時に、まな板の上にたまねぎが載っている画像の表示を行う。即ち，制御装置３１はマイクロスイッチ１２ｂからの検出信号を検出した時にたまねぎ９ｃの識別情報に基づいて、画像を表示する。これによって、まな板１３にたまねぎ９ｃを近づけただけで、まな板にたまねぎが載っている画像を表示してしまうことを防ぐことができ、遊戯者の違和感をなくすようにしている。
【００２４】
次に、遊戯者がオーブン１１内にたまねぎ９ｃを入れると、オーブン１１のコイル１１ａからたまねぎ９ｃへ高周波信号が送信される。このようにオーブン１１のコイル１１ａの領域内に、たまねぎ９ｃが近づけられると、たまねぎ９ｃは受信した高周波信号を自己の３２ビットの識別情報に応じて変調し、変調した信号を該当するコイル１１ａへ返送する。
同時に、オーブン１１内にたまねぎ９ｃが入れられると、マイクロスイッチ１２ａがこれを検出する。制御装置３１はマイクロスイッチ１２ａからの検出信号に基づいて、オーブン１１内に玩具体がセットされたことを判断する。
レシ−バ３９は、上記変調された信号を切換回路４１を介して該当するコイル１１ａから入力すると、フィルター回路で高周波成分が除去されて識別情報に係る信号のみが取り出される。このように、食べ物小物９にグループ分けされたたまねぎ９ｃの識別情報が取り出されると、その後、増幅回路で増幅され、波形整形された信号がデコーダ３７に出力される。
デコーダ３７は、入力信号に対応する信号を制御装置３１へ出力する。制御装置３１では、デコーダ３７からの信号を入力すると、この信号を解読して食べ物小物９にグループ分けされたたまねぎ９ｃの識別情報であることを判断する。
【００２５】
従って、制御装置３１は、オーブン１１内にたまねぎ９ｃがセットされたことを判断して、ＲＯＭ３３から検出手段であるオーブン１１のコイル１１ａと、このコイル１１ａによって検出されたたまねぎ９ｃの識別情報との組合せに対応する画像を読み取って表示装置２９へ表示させる。これにより、表示装置２９では例えば、オーブン内でたまねぎを料理している画像が表示される。
【００２６】
次に、遊戯者がレンジ１５に片手鍋７ｄを載置し、片手鍋７ｄ内にリンゴ９ｅ等の材料を入れてお菓子を作る場合を説明する。
片手鍋７ｄがレンジ１５に載置されると、マイクロスイッチ１２ｃがこれを検出する。制御装置３１はマイクロスイッチ１２ｃからの検出信号に基づいて、レンジ１５に玩具体がセットされたことを判断する。
同時に、レンジ１５に片手鍋７ｄを載置し、片手鍋７ｄ内にリンゴ９ｅが入れられると、レンジ１５のコイル１５ａから片手鍋７ｄ及びリンゴ９ｅへ高周波信号が送信される。このようにレンジ１５のコイル１５ａの領域内に、片手鍋７ｄ及びリンゴ９ｅが近づけられると、これらの玩具体は受信した高周波信号を自己の３２ビットの識別情報に応じて変調し、変調した信号を該当するコイル１５ａへ返送する。
【００２７】
レシ−バ３９は、上記変調された信号を切換回路４１を介して該当するコイル１５ａから入力すると、フィルター回路で高周波成分が除去されて識別情報に係る信号のみが取り出される。このように、レシーバ３９において、クッキング小物７にグループ分けされた片手鍋７ｄの識別情報と、食べ物小物９にグループ分けされたりんご９ｅの識別情報とが取り出されると、その後、増幅回路で増幅され、波形整形された信号がデコーダ３７に出力される。
デコーダ３７は、入力信号に対応する信号を制御装置３１へ出力する。制御装置３１では、デコーダ３７からの信号を入力すると、この信号を解読してクッキング小物７にグループ分けされた片手鍋７ｄの識別情報と、食べ物小物９にグループ分けされたりんご９ｅの識別情報であることを判断する。
前述したように、遊戯者がレンジ１５に片手鍋７ｄを載置したことにより、マイクロスイッチ１２ｃがこれを検出して制御装置３１へ出力する。
従って、制御装置３１は、レンジ１５に片手鍋７ｄが載置され、片手鍋７ｄ内にはリンゴ９ｅ等の食べ物小物が入れられていることを判断して、ＲＯＭ３３から対応する画像を読み取って表示装置２９へ表示させる。これにより、表示装置２９は、レンジに鍋を載せその鍋でリンゴを材料とするお菓子を作っている画像が表示される。
【００２８】
このような状態、すなわち、レンジ１５に片手鍋７ｄが載置され、片手鍋７ｄ内にはリンゴ９ｅ等の食べ物小物が入れられている状態で、魔法のステッキ５が操作された場合を説明する。
魔法のステッキ５がレンジ１５の近傍で操作されると、これをレンジ１５のコイル１５ａが検出する。これにより、前述したと同様に魔法のステッキ５の識別情報が制御装置３１へ出力される。したがって、制御装置３１は、レンジ１５に片手鍋７ｄが載置され、片手鍋７ｄ内にはリンゴ９ｅ等の食べ物小物が入れられている状態で、魔法のステッキ５が操作されたことを判断して、ＲＯＭ３３から対応する画像を読み取って表示装置２９へ表示させる。これにより、表示装置２９には、お菓子の完成画像が表示される。
【００２９】
次に、魔法のステッキ５及びスイッチ１９ａ，１９ｂ，１９ｃ，１９ｄ，１９ｅを用いた料理遊びを説明する。
電源スイッチ２１を投入した後、表示装置２９の初期画面にはメニューが表示される。複数のスイッチ１９ａ，１９ｂ，１９ｃ，１９ｄ，１９ｅを操作してメニュー画面の内容に従って適宜選択し、又は決定することにより、各種料理遊びを行うことができる。この場合、魔法のステッキ５を決定用のスイッチとして用いることができる。
【００３０】
尚、上記実施例では、制御装置３１がマイクロスイッチ１２ａ，１２ｂ，１２ｃ，１２ｄ，１２ｅからの信号に基づいて、使用中の検出手段を識別するように構成したが、切換回路４１からの切換信号に基づいて、コイル１１ａ，１３ａ，１５ａ，１７ａの内、現在駆動している検出手段を判別するように構成しても良い。
また、前述の実施例では識別情報の組み合わせに対応した画像情報を記憶し、制御手段は認識された識別情報の組み合わせに基づいて、記憶手段に記憶されている画像情報を読み出し、玩具本体に設けられた表示装置若しくは外部に設けられた表示装置に画像情報を表示させるように構成したが、本発明はこれには限定されず、識別情報の組み合わせに対応した音声情報を記憶し、制御手段は認識された識別情報の組み合わせに基づいて、記憶手段に記憶されている音声情報を読み出し、玩具本体に設けられた音声情報出力装置若しくは外部に設けられた音声情報出力装置から出力させるように構成してもよい。
【００３１】
また、本願発明は、前述のクッキング玩具のみならず、適宜の玩具装置にそのまま適用することができる。
例えば、個々に固有の識別情報を有した複数の変身用の玩具体と、当該玩具体を近づけ若しくは装着するための領域若しくは部位を備えた玩具本体とを設け、この玩具体を身体に装着可能に設けることにより、変身用の玩具装置を実現することができる。
すなわち、各玩具体は識別情報に基づいて複数のグループに分類され、玩具本体は領域若しくは部位に対応して設けられた検出手段と、記憶手段と、表示装置若しくは表示装置に対する接続手段と、制御手段とを有して構成される。
検出手段は、領域若しくは部位に近づけた玩具体若しくは装着された玩具体の識別情報を認識することができ、前記記憶手段は異なるグループに属する２以上の玩具体がそれぞれ有している識別情報の組み合わせに対応した画像を記憶し、前記制御手段は認識された識別情報の組み合わせに基づいて、記憶手段に記憶されている画像を読み出し、玩具本体に設けられた表示装置若しくは外部に設けられた表示装置に対して出力し、表示装置を用いて前記画像を表示させるように構成するとよい。
このように構成することにより、特定の玩具体を検出したときに、これらの玩具体の識別情報の組み合わせに応じて、特定の画像、例えば識別情報の組み合わせに応じて設定されたキャラクタの画像等を表示させると同時に、対応する音声を出力させて、変身玩具などに適用して変身遊びを行うことができる。
【００３２】
【発明の効果】
以上説明してきたように本願発明は、個々に固有の識別情報を有した複数の玩具体と、当該玩具体を近づけ若しくは装着するための領域若しくは部位を備えた玩具本体とから構成され、前記複数の玩具体は、前記識別情報に基づいて第１のグループに属する第１の玩具体と第２のグループに属する第２の玩具体とに分類されており、前記第１のグループに属する第１の玩具体は、おたま、フライパン返し、包丁、片手鍋、フライパン等の料理道具の外観を模したクッキング小物であり、前記第２のグループに属する第２の玩具体は、たまご、ピーマン、たまねぎ、ハンバーグ、リンゴ等の食材の外観を模した食べ物小物であり、玩具本体は領域若しくは部位に対応して設けられた検出手段と、記憶手段と、情報出力装置若しくは情報出力装置に対する接続手段と、制御手段とを有している。前記領域若しくは部位には、前記領域若しくは部位に前記玩具体がセットされたことを検出するマイクロスイッチが設けられ、前記検出手段は領域若しくは部位に近づけた玩具体若しくは装着された玩具体の識別情報を検出することができ、前記記憶手段は、前記第１のグループに属する第１の玩具体が有する識別情報と前記第２のグループに属する第２の玩具体が有する識別情報との組み合わせに対応した画像情報を記憶し、前記情報出力装置は前記画像情報を表示可能である。前記制御手段は、前記マイクロスイッチにより前記領域若しくは部位に前記玩具体がセットされていることが検出され、当該領域若しくは部位の検出手段において、前記第１のグループに属する第１の玩具体の識別情報と前記第２のグループに属する第２の玩具体の識別情報が検出されたとき、当該検出された識別情報の組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させるように構成したので、遊びに変化を持たせることができ、すぐに飽きられることがなく、興趣性の高い玩具装置を実現することができるという効果を有する。
また、非接触により、玩具体の種類を判別することができるので、変身玩具などに適用して変身遊びを行うことができるという効果を有する。
本願発明は、玩具本体に玩具体をセットしてマイクロスイッチからの検出信号を検出した時に、制御手段が玩具体の識別情報に基づいて画像を表示するので、玩具本体に玩具体を近づけただけで玩具体の画像を表示してしまうことを防ぐことができ、遊戯者の違和感をなくすことができるという効果がある。
【００３３】
また、本願発明は、個々に固有の識別情報を有した複数の玩具体と、玩具体を近づけ若しくは装着するための領域若しくは部位を備えた玩具本体とから構成され、前記玩具本体は、前記領域若しくは部位に対応して設けられた検出手段と、記憶手段と、情報出力装置若しくは情報出力装置に対する接続手段と、制御手段とを有している。前記領域若しくは部位には、前記領域若しくは部位に前記玩具体がセットされたことを検出するマイクロスイッチが設けられ、前記検出手段は領域若しくは部位に近づけた玩具体若しくは装着された玩具体の識別情報を検出することができ、前記記憶手段は所定の領域若しくは部位に対応して設けられた検出手段と、検出手段によって検出された前記玩具体の識別情報との組み合わせに対応した画像情報を記憶し、前記情報出力装置は前記画像情報を表示可能である。前記制御手段は、前記マイクロスイッチにより前記領域若しくは部位に前記玩具体がセットされていることが検出されたとき、当該領域若しくは部位の検出手段と当該検出手段にて検出された前記玩具体の識別情報との組み合わせに対応する画像情報を、前記記憶手段から読み出し、前記玩具本体に設けられた若しくは前記接続手段を介して前記玩具本体に接続された情報出力装置に対して出力し、前記情報出力装置を用いて当該出力された画像情報を表示させるように構成したので、遊びに変化を持たせることができ、すぐに飽きられることがなく、興趣性の高い玩具装置を実現することができるという効果を有する。
また、非接触により、玩具体の種類を判別することができるので、変身玩具などに適用して変身遊びを行うことができるという効果を有する。
本願発明は、玩具本体に玩具体をセットしてマイクロスイッチからの検出信号を検出した時に、制御手段が玩具体の識別情報に基づいて画像を表示するので、玩具本体に玩具体を近づけただけで玩具体の画像を表示してしまうことを防ぐことができ、遊戯者の違和感をなくすことができるという効果がある。
【００３４】
また、本願発明は、個々に固有の識別情報を有した複数の玩具体と、当該玩具体を近づけ若しくは装着するための領域若しくは部位を備えた玩具本体とから構成され、前記複数の玩具体は、前記識別情報に基づいて第１のグループに属する第１の玩具体と第２のグループに属する第２の玩具体とに分類され、前記玩具本体は、前記領域若しくは部位に対応して設けられた検出手段と、記憶手段と、情報出力装置若しくは情報出力装置に対する接続手段と、制御手段とを有し、前記検出手段は、前記領域若しくは部位に近づけた玩具体若しくは装着された玩具体の識別情報を検出することができ、前記記憶手段は、前記第１のグループに属する第１の玩具体が有する識別情報および前記第２のグループに属する第２の玩具体が有する識別情報ならびに当該第１の玩具体および第２の玩具体の識別情報が検出された検出手段との組み合わせに対応した画像情報を記憶し、前記情報出力装置は前記画像情報を表示可能であり、前記制御手段は、前記検出手段において前記第１のグループに属する第１の玩具体の識別情報と前記第２のグループに属する第２の玩具体の識別情報が検出されたとき、当該検出された第１の玩具体の識別情報および第２の玩具体の識別情報ならびに前記第１の玩具体および第２の玩具体の識別情報を検出した検出手段との組み合わせに対応する画像情報を前記記憶手段から読み出し、前記玩具本体に設けられた若しくは前記接続手段を介して前記玩具本体に接続された前記情報出力装置に対して出力し、前記情報出力装置を用いて当該出力された画像情報を表示させるように構成したので、遊びに変化を持たせることができ、すぐに飽きられることがなく、興趣性の高い玩具装置を実現することができるという効果を有する。
また、非接触により、玩具体の種類を判別することができるので、変身玩具などに適用して変身遊びを行うことができるという効果を有する。
【００３５】
また、本願発明は、記憶手段に記憶されている情報を画像情報で形成し、この画像情報を情報出力手段で表示するように構成したので、遊びに変化を持たせることができ、すぐに飽きられることがなく、興趣性の高い玩具装置を実現することができるという効果を有する。
【図面の簡単な説明】
【図１】本発明に係る玩具装置のブロック図である。
【図２】玩具装置の外観斜視図である。
【図３】魔法の棒とその周辺装置の回路図である。
【図４】コイルに対する電源供給のタイミングを示したタイミングチャートである。
【図５】玩具体からの信号検出のタイミングを示したタイミングチャートである。
【符号の説明】
１  玩具装置
３  玩具本体
５  魔法のステッキ
７  クッキング小物
７ａ  おたま
７ｂ  フライパン返し
７ｃ  包丁
７ｄ  片手鍋
７ｅ  フライパン
９  食べ物小物
９ａ  たまご９ａ
９ｂ  ピーマン
９ｃ  たまねぎ
９ｄ  ハンバーグ
９ｅ  リンゴ
１１  オーブン
１１ａ  コイル
１２ａ  マイクロスイッチ
１２ｂ  マイクロスイッチ
１３  まな板
１３ａ  コイル
１５  レンジ
１５ａ  コイル
１７  冷蔵庫
１７ａ  コイル
１９ａ  スイッチ
１９ｂ  スイッチ
２９  表示装置
３１  制御装置
３３  ＲＯＭ
３５  ＲＡＭ
３７  デコーダ
３９  レシーバ
４１  切換回路
【図１】
0003929246.tif 000002
【図２】
0003929246.tif 000003
【図３】
0003929246.tif 000004
【図４】
0003929246.tif 000005
【図５】
0003929246.tif 000006